(57)【特許請求の範囲】
【請求項１】
インターネットオークションへの出品に際し、他のユーザの商品と共同出品することを推奨する共同出品推奨装置であって、
前記インターネットオークションの落札実績を記憶する落札実績ＤＢに記憶される落札実績から、複数の商品それぞれの落札実績と当該複数の商品を組み合わせた商品セットの落札実績とを対比し、前記商品セットの方が高い金額で落札される場合に、前記商品セットを前記複数の商品の組み合わせからなる高付加価値セットとして高付加価値セットＤＢに登録する高付加価値セット登録手段と、
出品者からの商品の出品要求を受け付ける出品受付手段と、
前記出品受付手段が受け付けた前記商品と、前記高付加価値セットＤＢから読み出した高付加価値セットを構成する商品を比較することによって、前記商品が前記高付加価値セットの一部であるか否かを判定する高付加価値セット判定手段と、
前記インターネットオークションに出品を希望する他のユーザのうち、前記出品者の商品と組み合わせることで前記高付加価値セットを構成することになる商品を出品しているユーザを共同出品者候補として特定する共同出品者候補特定手段と、
前記出品者に、前記高付加価値セットを示す情報及び前記共同出品者候補を示す情報を通知する共同出品者推奨手段と、
を備える共同出品推奨装置。
【請求項２】
前記高付加価値セット判定手段は、前記出品受付手段が受け付けた前記商品が前記高付加価値セットを構成する複数の商品のうちの所定数以上の商品である場合に、前記高付加価値セットの一部であると判定する、請求項１に記載の共同出品推奨装置。
【請求項３】
インターネットオークションへの出品に際し、他のユーザの商品との共同出品を推奨する共同出品推奨方法であって、
コンピュータが、落札実績ＤＢに記憶された前記インターネットオークションの落札実績から、複数の商品それぞれの落札実績と当該複数の商品を組み合わせた商品セットの落札実績とを対比し、前記商品セットの方が高い金額で落札される場合に、前記商品セットを前記複数の商品の組み合わせからなる高付加価値セットとして高付加価値セットＤＢに登録する登録ステップと、
前記コンピュータが、出品者からの商品の出品要求を受け付ける受付ステップと、
前記コンピュータが、受け付けた前記商品と、前記高付加価値セットＤＢから読み出した高付加価値セットを構成する各々の商品と比較することによって、前記商品が前記高付加価値セットの一部であるか否かを判定する判定ステップと、
前記インターネットオークションに出品を希望する他のユーザのうち、前記出品者の商品と組み合わせることで前記高付加価値セットを構成することになる商品を出品しているユーザを共同出品者候補として前記コンピュータが特定する特定ステップと、
前記出品者に、前記高付加価値セットを示す情報及び前記共同出品者候補を示す情報を前記コンピュータが通知する通知ステップと、
を含んでいる共同出品推奨方法。
【発明の詳細な説明】
【技術分野】
【０００１】
本発明は、インターネットオークションへの出品に際し、他のユーザの商品と共同出品することを推奨する共同出品推奨装置及び方法に関する。
【背景技術】
【０００２】
近年、インターネットの普及に伴い、インターネット上のオークションが盛んに利用されるようになってきている。インターネット上のオークションは、オークションサイトに、商品情報、当該商品の品数、現在の最高入札金額、入札者数などの情報を掲載し、入札者が現れるのを待つ。一般に、オークションはオークションの終了時刻の時点における最高入札者が落札できる。
【０００３】
インターネットオークションの利用性を高めるための試みは、これまで様々な観点から行われており、例えば、特許文献１では、仮想的な３次元オークションを表示するＷｅｂページを提供することで、オークション参加者に現実のオークションのような臨場感を与えることとしている。
【先行技術文献】
【特許文献】
【０００４】
【特許文献１】特開２００９−２５２１１７号公報
【発明の概要】
【発明が解決しようとする課題】
【０００５】
ところで、インターネットオークションでは、特定の商品をセットにして出品することで、個別に出品するよりも高い価格で落札されることが経験的に知られている。例えば、漫画本の全巻セットやトレーディングカードセットなどの同種の商品を組み合わせた商品セットに加え、インスタント食品と飲料とゲームソフトとからなる外出不要セットのような多種の商品を組み合わせた商品セットであっても商品セットを構成する個別の商品をそれぞれ出品し落札された合計よりも高い価格で落札される場合がある。
【０００６】
このような商品セットは多岐にわたり、出品者が気付かないことがあり、また、出品者が商品セットの存在に気付いたとしても、自己の手持ちの商品に足りない場合に足りない商品を足す手間は煩わしく、商品セットとしての出品が行われてこなかった。
【０００７】
本発明は、このような問題に鑑みてなされたものであり、インターネットオークションへの出品に際し、他のユーザの商品と共同出品することを推奨することで、高い価格で落札される可能性の有る商品セットでの出品を促す共同出品推奨装置及び方法を提供することを目的とする。
なお、以下では、組み合わせて出品することで別々に出品した場合よりも高い価格で落札される可能性のある商品セットのことを「高付加価値セット」と称する。
【課題を解決するための手段】
【０００８】
（１）  インターネットオークションへの出品に際し、他のユーザの商品と共同出品することを推奨する共同出品推奨装置であって、前記インターネットオークションの落札実績を記憶する落札実績ＤＢに記憶される落札実績から、複数の商品それぞれの落札実績と当該複数の商品を組み合わせた商品セットの落札実績とを対比し、前記商品セットの方が高い金額で落札される場合に、前記商品セットを前記複数の商品の組み合わせからなる高付加価値セットとして高付加価値セットＤＢに登録する高付加価値セット登録手段と、出品者からの商品の出品要求を受け付ける出品受付手段と、前記出品受付手段が受け付けた前記商品と、前記高付加価値セットＤＢから読み出した高付加価値セットを構成する商品を比較することによって、前記商品が前記高付加価値セットの一部であるか否かを判定する高付加価値セット判定手段と、前記インターネットオークションに出品を希望する他のユーザのうち、前記出品者の商品と組み合わせることで前記高付加価値セットを構成することになる商品を出品しているユーザを共同出品者候補として特定する共同出品者候補特定手段と、前記出品者に、前記高付加価値セットを示す情報及び前記共同出品者候補を示す情報を通知する共同出品者推奨手段と、を備える共同出品推奨装置。
【０００９】
（１）の共同出品推奨装置によれば、高付加価値セット判定手段は、出品者による出品予定の商品が高付加価値セットＤＢに記憶された高付加価値セットの一部であるか否かを判定する。このとき、高付加価値セットの一部である場合には、共同出品者候補特定手段は、出品者の商品と組み合わせることで高付加価値セットを構成することになる商品を出品しているユーザを共同出品者候補として特定し、共同出品者推奨手段は、出品者に、高付加価値セットを示す情報及び共同出品者候補を示す情報を通知する。
出品者は、通知された情報に基づいて共同出品者候補の中から実際に共同出品するユーザを選択することができ、その結果、他のユーザと共同出品することで、出品者が単独で出品することのできない高付加価値セットを簡単にインターネットオークションに出品することができ、それぞれのユーザが単独で出品するよりも高い落札金額を得ることができる。
【００１１】
また、（１）の共同出品推奨装置によれば、落札実績から高付加価値セットを登録、すなわち、商品セットの落札実績と商品単独の落札実績とを対比し、商品セットとしての落札価格の方が高い場合には、当該セットを高付加価値セットとして登録する。これにより、出品者が気付き難い高付加価値セットについても、共同出品の推奨を行うことができる。
【００１４】
（２）  前記高付加価値セット判定手段は、前記出品受付手段が受け付けた前記商品が前記高付加価値セットを構成する複数の商品のうちの所定数以上の商品である場合に、前記高付加価値セットの一部であると判定する、（１）に記載の共同出品推奨装置。
【００１５】
（２）の共同出品推奨装置によれば、高付加価値セットを編成する商品のうち極一部の商品のみを出品している場合には、共同出品者候補の推奨などを行わないため、出品者に煩わしさを感じさせない。
【００１６】
（３）  インターネットオークションへの出品に際し、他のユーザの商品との共同出品を推奨する共同出品推奨方法であって、コンピュータが、落札実績ＤＢに記憶された前記インターネットオークションの落札実績から、複数の商品それぞれの落札実績と当該複数の商品を組み合わせた商品セットの落札実績を対比し、前記商品セットの方が高い金額で落札される場合に、前記商品セットを前記複数の商品の組み合わせからなる高付加価値セットとして高付加価値セットＤＢに登録する登録ステップと、前記コンピュータが、出品者からの商品の出品要求を受け付ける受付ステップと、前記コンピュータが、受け付けた前記商品と、前記高付加価値セットＤＢから読み出した高付加価値セットを構成する各々の商品と比較することによって、前記商品が前記高付加価値セットの一部であるか否かを判定する判定ステップと、前記インターネットオークションに出品を希望する他のユーザのうち、前記出品者の商品と組み合わせることで前記高付加価値セットを構成することになる商品を出品しているユーザを共同出品者候補として前記コンピュータが特定する特定ステップと、前記出品者に、前記高付加価値セットを示す情報及び前記共同出品者候補を示す情報を前記コンピュータが通知する通知ステップと、を含んでいる共同出品推奨方法。
【００１７】
（３）の方法によれば、（１）の共同出品推奨装置と同様の効果を奏する。
【発明の効果】
【００１８】
本発明によれば、出品者が単独で出品することのできない高付加価値セットをインターネットオークションに出品することができる。
【図面の簡単な説明】
【００１９】
【図１】本発明の共同出品推奨装置の機能構成を示すブロック図である。
【図２】高付加価値セットＤＢを示す図である。
【図３】共同出品希望者ＤＢを示す図である。
【図４】共同出品推奨装置の共同出品機能の具体例を示す図である。
【図５】落札実績ＤＢを示す図である。
【図６】共同出品推奨処理の流れを示すフローチャートである。
【図７】高付加価値セット処理の流れを示すフローチャートである。
【発明を実施するための形態】
【００２０】
以下、本発明の実施形態について図面を参照して説明する。
【００２１】
［共同出品推奨装置１の構成］
初めに、図１を参照して、本発明の共同出品推奨装置１の構成について説明する。
共同出品推奨装置１は、複数の出品者による高付加価値セットの出品を推奨する共同出品機能１０と、落札実績から高付加価値セットを特定する高付加価値セット特定機能２０と、を含む。
【００２２】
［共同出品機能１０］
共同出品機能１０を実現するため、共同出品推奨装置１は、出品受付手段１１と、高付加価値セット判定手段１２と、高付加価値セットＤＢ１３と、共同出品者候補特定手段１４と、共同出品希望者ＤＢ１５と、共同出品者推奨手段１６と、共同出品手段１７と、を含んで構成される。
【００２３】
出品受付手段１１は、出品者からの商品の出品要求を受け付ける。ここで、本実施形態では、インターネットオークションで取り引きされる商品ごとに個別のＩＤが付され、商品単位での管理が可能となっている。そして、出品受付手段１１は、出品者からの出品要求を個別の商品ごとに受け付けることとしている。具体的には、出品者が漫画本の１巻〜４巻を出品する場合、出品受付手段１１は、１巻〜４巻のセットを１つの出品として受け付けるのではなく、１巻の出品、２巻の出品、３巻の出品、４巻の出品と商品ごとに個別に出品を受け付ける。
【００２４】
高付加価値セット判定手段１２は、出品受付手段１１が受け付けた商品が高付加価値セットＤＢ１３に記憶された高付加価値セットの一部であるか否かを判定する。
ここで、高付加価値セットＤＢ１３は、図２に示すように、高付加価値セットを構成する個別商品のＩＤ、高付加価値セットの名称及び平均落札価格などを高付加価値セットＩＤごとに対応付けて記憶している。
高付加価値セット判定手段１２は、出品受付手段１１が受け付けた商品のＩＤが、高付加価値セットＤＢ１３に記憶された個別商品ＩＤの一部であるか否かを判定することで、出品受付手段１１が受け付けた商品が高付加価値セットの一部であるか否かを判定する。
【００２５】
共同出品者候補特定手段１４は、共同出品希望者ＤＢ１５を参照して、インターネットオークションに出品を希望する他のユーザのうち、出品者の商品と組み合わせることで高付加価値セットを構成することになる商品を出品しているユーザを共同出品者候補として特定する。
ここで、共同出品希望者ＤＢ１５は、図３に示すように、ユーザＩＤ（他のユーザ）に対応付けて、当該ユーザが出品している商品ＩＤ、商品名称及びインターネットオークション上の当該ユーザの評価であるユーザ評価などを記憶する。なお、共同出品希望者ＤＢ１５に記憶されているユーザには、インターネットオークション上に既に商品を出品しているユーザ、及び高付加価値セットでないため出品を待機している出品予定ユーザが含まれる。
【００２６】
共同出品者推奨手段１６は、出品者に、高付加価値セットを示す情報及び共同出品者候補を示す情報を通知する。「高付加価値セットを示す情報」には、高付加価値セットの内容（例えば、漫画全巻セットなど）に加え、セットで出品した場合と個別に出品した場合との商品単価の差などが含まれる。また、「共同出品者候補を示す情報」には、共同出品者候補、共同出品者候補が出品（予定）の商品、共同で出品した場合に重複する（余る）商品、及び共同出品者候補の評価が含まれる。
高付加価値セットを示す情報及び共同出品者候補を示す情報が通知されると、出品者は、当該情報を参照して共同出品者候補の中から実際に共同出品するユーザを選択する。
【００２７】
共同出品手段１７は、出品者が選択したユーザと出品者との共同出品、すなわち、インターネットオークションに高付加価値セットの出品を行う。
【００２８】
以上、共同出品機能１０を実現するための各手段について説明した。次に、Ａさん（出品者）が「○○物語」の「１，２，３，４，６，８，９，１０巻」を出品する場合を例にとって、共同出品機能１０について具体的に説明する（図４）。
【００２９】
Ａ１：出品受付手段１１は、Ａさんからの商品の出品要求を受け付ける。
Ａ２：高付加価値セット判定手段１２は、高付加価値セットＤＢ１３を参照して、Ａさんの商品が高付加価値セットの一部であるか否かを判定する。ここで、図２を参照して、高付加価値セット「Ａ０１」は、「○○物語全巻（１−１０巻）セット」であり、Ａさんの出品する商品は、高付加価値セット「Ａ０１」の一部（５，７巻が足りない）である。そのため、高付加価値セット判定手段１２は、Ａさんの出品する商品が高付加価値セット「Ａ０１」の一部であると判定する。
【００３０】
Ａ３：続いて、共同出品者候補特定手段１４は、共同出品希望者ＤＢ１５を参照して、Ａさん（出品者）の出品する商品と組み合わせることで高付加価値セットを構成することになる商品を出品しているユーザを特定する。ここで、共同出品希望者のうち、Ｂさんの商品は、２，５巻であるため、Ａさんの商品と組み合わせても高付加価値セット「Ａ０１」を構成しない。他方、Ｃさん、Ｄさん及びＥさんの出品する商品は、Ａさんの商品と組み合わせることで高付加価値セット「Ａ０１」となる商品である。そのため、共同出品者候補特定手段１４は、Ｃさん、Ｄさん及びＥさんを共同出品者候補として特定し、Ｂさんを共同出品者候補と特定しない。
【００３１】
Ａ４：続いて、共同出品者推奨手段１６は、Ａさんに対して、共同出品者候補に関する情報、例えば、共同で出品した場合に重複する商品や共同出品者候補のインターネットオークション上の評価を通知する。Ａさんにとってみれば、重複する商品が少ないほど好ましく、また、評価が高いほど安心感があるためである。
なお、図中省略しているが、本実施形態では、このときＡさんに対して高付加価値セットを示す情報も併せて通知する。
【００３２】
Ａ５：続いて、Ａさんから共同出品者の選択を受け付け、共同出品手段１７は、高付加価値セットの出品を行う。図中では、重複する商品が少なく、評価の高いＤさんが選択され、ＡさんとＤさんとの共同出品が行われている。
【００３３】
このように、出品者（Ａさん）は、通知された情報に基づいて共同出品者候補（Ｃさん、Ｄさん、Ｅさん）の中から実際に共同出品するユーザ（Ｄさん）を選択することができ、その結果、他のユーザ（Ｄさん）と共同出品することで、出品者（Ａさん）が単独で出品することのできない高付加価値セットをインターネットオークションに出品することができる。
【００３４】
［高付加価値セット特定機能２０］
図１に戻り、共同出品推奨装置１の高付加価値セット特定機能２０について説明する。
高付加価値セット特定機能２０を実現するため、共同出品推奨装置１は、高付加価値セット登録手段２１と、落札実績ＤＢ２２と、を含んで構成される。
【００３５】
高付加価値セット登録手段２１は、落札実績ＤＢ２２を参照して高付加価値セットを検出し、高付加価値セットＤＢ１３に登録する。
ここで、落札実績ＤＢ２２は、図５に示すように商品ＩＤに対応付けて、当該商品の平均落札価格などを記憶する。
【００３６】
図５を参照して、「○○物語（１巻）」〜「○○物語（１０巻）」の各々の平均落札価格は「８０円」であるのに対して、「○○物語（１−１０巻）」の平均落札価格は「１０００円」である。そのため、「○○物語」は、１巻〜１０巻をまとめてセットして出品することで、「２００円（商品単価で２０円）」高い落札価格が期待できる。このような場合、高付加価値セット登録手段２１は、「○○物語（１−１０巻）」を高付加価値セットとして検出し、高付加価値セットＤＢ１３に登録する。すなわち、高付加価値セット登録手段２１は、商品セットの落札実績（総額又は商品単価）と複数の商品の落札実績（総額又は商品単価）とを対比し、商品セットとしての落札価格の方が高い場合に、当該商品セットを高付加価値セットとして登録する。なお、１円でも高い場合に落札価格が高いと判断することとしてもよく、総額又は商品単価が所定割合以上高い場合に限り落札価格が高いと判断することとしてもよい。
【００３７】
このように、高付加価値セット登録手段２１が、過去の落札実績から高付加価値セットを自動的に登録するため、出品者が気付き難い高付加価値セットについても、共同出品の推奨を行うことができる。
【００３８】
［共同出品推奨装置１のハードウェア構成］
以上説明した共同出品推奨装置１のハードウェアは、一般的なコンピュータによって構成することができる。一般的なコンピュータは、例えば、制御部として、中央処理装置（ＣＰＵ）を備える他、記憶部として、メモリ（ＲＡＭ、ＲＯＭ）、ハードディスク（ＨＤＤ）及び光ディスク（ＣＤ、ＤＶＤなど）を、ネットワーク通信装置として、各種有線及び無線ＬＡＮ装置を、表示装置として、例えば、液晶ディスプレイ、プラズマディスプレイなどの各種ディスプレイを、入力装置として、例えば、キーボード及びポインティング・デバイス（マウス、トラッキングボールなど）を適宜備え、これらは、バスラインにより接続されている。このような一般的なコンピュータにおいて、ＣＰＵは、共同出品推奨装置１を統括的に制御し、各種プログラムを適宜読み出して実行することにより、上述したハードウェアと協働し、本発明に係る各種機能を実現している。
【００３９】
［共同出品推奨装置１の処理］
続いて、図６及び図７を参照して、共同出品推奨装置１の処理について説明する。図６に示すフローチャートは、出品者からの出品要求により行われる共同出品推奨処理を示し、図７に示すフローチャートは、所定の周期で行われる高付加価値セット特定処理を示す。
【００４０】
［共同出品推奨処理］
Ｓ１：初めに、出品受付手段１１は、出品者が出品する商品ごとに出品者から出品要求を受け付ける。
Ｓ２：続いて、高付加価値セット判定手段１２は、受け付けた商品が高付加価値セットそのものであるか否かを判定する。このとき、高付加価値セットそのものである場合には、出品者から受け付けた商品をそのまま出品する（Ｓ９）。
Ｓ３：他方、高付加価値セットそのものでない場合には、高付加価値セット判定手段１２は、高付加価値セットの一部であるか否かを判定する。このとき、高付加価値セットの一部でない場合には、出品者から受け付けた商品をそのまま出品する（Ｓ９）。
Ｓ４：他方、高付加価値セットの一部である場合には、共同出品推奨装置１は、他のユーザとの共同出品を望むか否かの選択を出品者から受け付ける。このとき、出品者が共同出品を望まない場合には、出品者から受け付けた商品をそのまま出品する（Ｓ９）。
【００４１】
Ｓ５：他方、出品者が共同出品を望んだ場合には、共同出品者候補特定手段１４は、高付加価値セットを構成する商品のうち出品者の商品では足りない商品を抽出する。
Ｓ６：続いて、共同出品者候補特定手段１４は、抽出した足りない商品を出品している（出品予定の）共同出品者候補が存在するか否かを判定する。このとき、共同出品者候補が存在しない場合には、出品者から受け付けた商品をそのまま出品する（Ｓ９）。
Ｓ７：他方、共同出品者推奨手段１６は、共同出品者候補が存在する場合には、共同出品者候補に関する情報を出品者に対して通知する。
Ｓ８：続いて、共同出品推奨装置１は、出品者から共同出品者の選択を受け付ける。
Ｓ９：続いて、共同出品手段１７は、出品者と選択された共同出品者とによる共同出品を行う。
【００４２】
［高付加価値セット特定処理］
Ｓ１１〜Ｓ１３：高付加価値セット登録手段２１は、個別商品と商品セットとの落札実績を比較し（Ｓ１１）、商品セットの落札価格の方が高い場合には（Ｓ１２でＹＥＳ）、この商品セットを高付加価値セットとして特定し、高付加価値セットＤＢ１３に登録する（Ｓ１３）。他方、個別商品の落札価格の方が高い場合や、両落札価格に一定以上の差がない場合には（Ｓ１２でＮＯ）、高付加価値セット登録手段２１は、処理を終了する。
【００４３】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施例に記載されたものに限定されるものではない。
【００４４】
上記実施形態では、商品ごとに個別のＩＤを付し商品を個別に管理することで、出品者の出品する商品が高付加価値セットの一部であるか判定することとしているが、これに限られるものではない。例えば、商品ごとに個別のＩＤを付すことなく、出品者からの出品要求に含まれる商品説明から、高付加価値セットの一部であるか判定することとしてもよい。具体的には、商品説明をテキスト解析し、例えば、「○○物語（５，７巻抜け）」といった商品説明から５巻及び７巻が抜けていることを判定し、高付加価値セットの一部であるか否かを判定することとしてもよい。
【００４５】
また、上記実施形態では、出品者と他のユーザとの２人による共同出品のみを例にとって説明したが、共同出品を行う人数は、２人に限られず３人以上で行うこととしてもよい。この場合において、共同出品者推奨手段１６は、例えば、３人で共同出品することで高付加価値セットの出品が可能であることを出品者に通知する。
【００４６】
また、高付加価値セット判定手段１２が、出品者の商品が高付加価値セットの一部であると判定される基準については、任意に設定することができ、出品者の商品が高付加価値セットを構成する複数の商品のうちの所定数以上の商品である場合に限り高付加価値セットの一部であると判定することとしてもよい。例えば、高付加価値セット「○○物語全巻セット（１−１０巻）」について、出品者が「○○物語（１巻）」を出品する場合には高付加価値セットの一部ではないと判定し、出品者が「○○物語（１巻〜５巻）」を出品する場合には高付加価値セットの一部であると判定することとしてもよい。なお、「所定数以上の商品」が高付加価値セット内に占める割合を高付加価値セットごとに異ならせて設定することとしてもよい。
【００４７】
また、共同出品者推奨手段１６は、出品者の商品と組み合わせることで高付加価値セットとなる商品を出品するユーザの全てを共同出品者候補として推奨することとしているが、一部のユーザのみを共同出品者候補として推奨することとしてもよい。一部のユーザについては、任意に設定することができ、例えば、重複する商品が少ないユーザや評価が一定以上のユーザのみを推奨することとしてもよい。また、一部のユーザの基準は、共同出品推奨装置１の管理者が全ユーザを対象に設定することとしてもよく、各ユーザが個別に設定することとしてもよい。
【符号の説明】
【００４８】
１    共同出品推奨装置
１１  出品受付手段
１２  高付加価値セット判定手段
１３  高付加価値セットＤＢ
１４  共同出品者候補特定手段
１５  共同出品希望者ＤＢ
１６  共同出品者推奨手段
１７  共同出品手段
２１  高付加価値セット登録手段
２２  落札実績ＤＢ２２
【図１】
0005210366.tif 000002
【図２】
0005210366.tif 000003
【図３】
0005210366.tif 000004
【図４】
0005210366.tif 000005
【図５】
0005210366.tif 000006
【図６】
0005210366.tif 000007
【図７】
0005210366.tif 000008